(57)【要約】【課題】コストを抑えつつ表示機能部の設計自由度の向上を図ることで、避雷器が動作したことの確認が容易な架空送電線用避雷器の動作表示装置を提供する。【解決手段】落雷時に避雷器に流れる雷サージ電流を基に検出電圧を発生する電圧発生部６１と、電圧発生部６１で発生した検出電圧に基づいて電動モーター５１に電池７３から電力を供給させて電動モーター５１を作動させ、検出電圧が低下した後も継続して電動モーター５１に電池７３から電力を供給させるモーター作動部６２と、電動モーター５１の作動によって表示状態となる表示機能部とを備える。【選択図】図５
2015107047.tif 000002
【特許請求の範囲】
【請求項１】
落雷時に避雷器に流れる電流を基に検出電圧を発生する電圧発生部と、
前記電圧発生部で発生した検出電圧に基づいてアクチュエータに電源部から電力を供給させて前記アクチュエータを作動させ、前記検出電圧の出力停止後も継続して前記アクチュエータに前記電源部から電力を供給させるアクチュエータ作動部と、
前記アクチュエータの作動によって表示状態となる表示機能部とを備えることを特徴とする架空送電線用避雷器の動作表示装置。
【請求項２】
前記アクチュエータ作動部は、前記電圧発生部で発生した検出電圧の電圧値によりオンとオフが切り替わる第１スイッチと、前記第１スイッチがオンになり前記アクチュエータが作動したときに動作する動作部材と、前記動作部材の動作に基づいてオンになる第２スイッチとを備え、
前記第１スイッチまたは前記第２スイッチの少なくともいずれかがオンの間は前記アクチュエータに前記電源部から電力が供給されることを特徴とする請求項１に記載の架空送電線用避雷器の動作表示装置。
【請求項３】
前記アクチュエータはモーターであることを特徴とする請求項１または２に記載の架空送電線用避雷器の動作表示装置。
【請求項４】
前記表示機能部は、筒部材の外周部に一端が揺動可能に支持された複数の表示板からなり、
複数の前記表示板は、付勢部材によって開くように付勢されるとともに、拘束部材によって開かないように前記筒部材の外周部に拘束され、
この拘束された状態が維持されるように前記拘束部材が係止部材によって係止され、
前記モーターの回転軸に取付けられた前記動作部材が、前記モーターの回転に伴って回転して前記係止部材に対する前記拘束部材の係止状態を断つことで複数の前記表示板の拘束を解除することを特徴とする請求項３に記載の架空送電線用避雷器の動作表示装置。
【請求項５】
前記表示機能部は、前記表示板が開くことで前記表示状態となることを特徴とする請求項４に記載の架空送電線用避雷器の動作表示装置。
【請求項６】
前記表示板は、前記避雷器の像を地上に映すための鏡部を有することを特徴とする請求項４または５に記載の架空送電線用避雷器の動作表示装置。
【発明の詳細な説明】
【技術分野】
【０００１】
本発明は、避雷器に雷サージ電流が流れたことを表示可能な架空送電線用避雷器の動作表示装置に関する。
【背景技術】
【０００２】
従来、架空送電線に設けられる避雷器が動作したことを確認するため、種々の装置が用いられている。例えば、避雷器の接地線に流れる電流を電流検出器で検出してホストコンピュータに送信し、ホストコンピュータが避雷器の劣化の程度を管理するもの（例えば、特許文献１参照）がある。また、鉄塔の塔脚に設置される表示器としては、架空送電線や鉄塔への落雷により誘起電流が流れるコイルと、コイルに流れる電流で発火する発火部と、発火部の発火により放出される表示布とを備えたもの（例えば、非特許文献１参照）が知られている。非特許文献１記載の表示器は、鉄塔から布が垂れ下がることで、落雷により鉄塔に電流が流れたことを表示する。
【先行技術文献】
【特許文献】
【０００３】
【特許文献１】特開２００４−３７１６９号公報
【非特許文献】
【０００４】
【非特許文献１】「閃絡表示器Ｋ型技術資料」、日油技研工業部式会社、２０１０年３月
【発明の概要】
【発明が解決しようとする課題】
【０００５】
しかしながら、従来、架空送電線に設けられる個々の避雷器に、雷サージ電流が流れたことを検出して表示することは困難であった。特許文献１では、複数の作動監視装置から、例えば遠隔地に設置されたホストコンピュータにデータを送信し、ホストコンピュータにおいてデータを集約及び管理する大規模なシステムとなる。このため、設置コストが嵩む上、設置作業の負担も大きい。
【０００６】
非特許文献１では、落雷時に表示布が垂れ下がるので、この表示器を送電線の近傍に設置すると表示布が動いて絶縁破壊を招く懸念があり、設置位置が鉄塔の塔脚に限られる。送電線の近傍に設置できるようにするためには、表示布を使わない表示方法にする必要があるが、落雷時にコイルに誘起される瞬時の電流で表示を実行するという制約があり、表示方法の変更は困難であった。このため、架空送電線に設けられる避雷器に雷サージ電流が流れたこと表示する用途には利用できなかった。
【０００７】
本発明は、上述した事情を鑑みてなされたものであり、架空送電線に設けられる個々の避雷器が動作したことを容易に確認することができ、低コストで設置可能な架空送電線用避雷器の動作表示装置を提供することを目的としている。
【課題を解決するための手段】
【０００８】
上述した課題を解決するため、本発明は、落雷時に避雷器に流れる電流を基に検出電圧を発生する電圧発生部と、前記電圧発生部で発生した検出電圧に基づいてアクチュエータに電源部から電力を供給させて前記アクチュエータを作動させ、前記検出電圧の出力停止後も継続して前記アクチュエータに前記電源部から電力を供給させるアクチュエータ作動部と、前記アクチュエータの作動によって表示状態となる表示機能部とを備えることを特徴とする。
【０００９】
この構成によれば、落雷により避雷器が動作したことを低コストで簡単な構成により表示できる。また、落雷時に避雷器に流れる電流を基に検出電圧が発生した場合にアクチュエータを作動させ、その後、検出電圧の出力停止後もアクチュエータを作動させるので、落雷時に電流が流れる時間よりも長い時間、アクチュエータを動作させる。このため、表示機能部の設計自由度を増すことができ、表示機能部の設置場所に適した構造とすることができる。例えば、架空送電線の近傍に設置しても絶縁破壊を招かない構造の表示機能部や、避雷器が動作したことを目視で容易に確認できる構造の表示機能部を採用できる。
【００１０】
上記構成において、前記アクチュエータ作動部は、前記電圧発生部で発生した検出電圧の電圧値によりオンとオフが切り替わる第１スイッチと、前記第１スイッチがオンになり前記アクチュエータが作動したときに動作する動作部材と、前記動作部材の動作に基づいてオンになる第２スイッチとを備え、前記第１スイッチまたは前記第２スイッチの少なくともいずれかがオンの間は前記アクチュエータに前記電源部から電力が供給されるようにしても良い。
この構成によれば、複数のスイッチを用いたシンプルかつ低コストで実現可能な構成により、一つのアクチュエータを継続して作動させることができる。
また、上記構成において、前記アクチュエータはモーターであっても良い。
この構成によれば、モーターの回転を利用して表示機能部を表示状態にするので、モーターを含む低コストで単純な回路により本発明を実現できる。
【００１１】
また、上記構成において、前記表示機能部は、筒部材の外周部に一端が揺動可能に支持された複数の表示板からなり、複数の前記表示板は、付勢部材によって開くように付勢されるとともに、拘束部材によって開かないように前記筒部材の外周部に拘束され、この拘束された状態が維持されるように前記拘束部材が係止部材によって係止され、前記モーターの回転軸に取付けられた前記動作部材が、前記モーターの回転に伴って回転して前記係止部材に対する前記拘束部材の係止状態を断つことで複数の前記表示板の拘束を解除するようにしても良い。
この構成によれば、表示板を機械的に拘束し、この拘束を機械的に解除することで表示状態に移行するので、落雷により雷サージ電流が流れた場合のみ表示状態が変わる。このため、避雷器が作動していないのに誤って表示状態となってしまう可能性が低く、信頼性を向上させることができる。
【００１２】
また、上記構成において、前記表示機能部は、前記表示板が開くことで前記表示状態となるようにしても良い。
この構成によれば、表示機能部の状態、すなわち避雷器が作動したことを目視により容易に確認できる。
また、上記構成において、前記表示板は、前記避雷器の像を地上に映すための鏡部を有するようにしても良い。
この構成によれば、鏡部に映る避雷器の像を目視することで、作動後の避雷器の状態を詳細に確認することができる。特に、避雷器において直視しにくい側の像が鏡部に映るようにすれば、直視による確認と鏡部の像の確認とを組み合わせることで避雷器の大部分を目視で確認でき、効率よく確実に点検できる。
【発明の効果】
【００１３】
本発明は、避雷器が動作したことを簡単な構成でコストを抑えつつ表示することができる。また、表示機能部の設計自由度を増すことができ、例えば表示機能部を架空送電線の近傍に設置しても絶縁破壊を招かない構造や、避雷器が動作したことを目視で容易に確認できる構造とすることができる。
【図面の簡単な説明】
【００１４】
【図１】第１実施形態の避雷器の動作表示装置を鉄塔側に取付けた状態を示す側面図である。
【図２】動作表示装置の一例を示す側面図である。
【図３】動作表示装置を示す平面図である。
【図４】表示板の拘束構造の一例を示す斜視図である。
【図５】表示機能部作動装置の一例を示す構成図である。
【図６】円板及びスイッチの構造及び作用の一例を示す作用図である。
【図７】表示機能部の作用の一例を示す作用図である。
【図８】動作表示装置を構成する第２実施形態の円板及びスイッチの構造及び作用の一例を示す作用図である。
【発明を実施するための形態】
【００１５】
以下、図面を参照して本発明の一実施形態について説明する。
＜第１実施形態＞
図１は、第１実施形態の避雷器２７の動作表示装置３０を鉄塔側に取付けた状態を示す側面図である。
鉄塔に備える支持アーム１１に吊金具１２を介して上部ホーン取付金具１４が取付けられ、この上部ホーン取付金具１４から支持碍子連１６が吊り下げられ、この支持碍子連１６の下部に下部ホーン取付金具１７が取付けられている。支持碍子連１６は、複数の懸垂碍子１８が連結されて構成されている。下部ホーン取付金具１７には、連結リンク２１及び懸垂クランプ２２を介して架空送電線２３が支持されている。
【００１６】
上部ホーン取付金具１４には、一端部に接地側ホーン２５が取付けられ、他端部に取付金具２６を介して避雷器２７の一端部が取付けられている。避雷器２７の他端部にはアレスタアークホーン２８が取付けられている。また、取付金具２６の端部には、避雷器２７の上方に位置するように、避雷器２７に落雷時の雷サージ電流が流れたこと、即ち避雷器２７が作動したことを表示する動作表示装置３０が取付けられている。
下部ホーン取付金具１７には、両端部に課電側ホーン３２，３３が取付けられている。
避雷器２７は、例えば、非直線抵抗特性を有する酸化亜鉛素子と、この酸化亜鉛素子の外周部に配置されたＦＲＰ製の補強材と、この補強材に被覆されたシリコンゴムとから構成されている。
【００１７】
例えば、避雷器を設けていない場合には、架空送電線や鉄塔に落雷があった場合に、鉄塔と架空送電線との電位差が大きくなる。この電位差が支持碍子連の両端から延びる接地側ホーン、課電側ホーン間の放電電圧以上になると、フラッシュオーバーが発生し、支持碍子連の損傷を防止する。しかしながら、雷サージ電流に続いて架空送電線からの続流が鉄塔を経て大地に流れ込むことがあり、短絡事故の原因になる。
このような短絡状態を回避するために、本実施形態では、避雷器２７を設け、電サージ電流のみを逃がすようにしている。すなわち、鉄塔と架空送電線２３との電位差が大きくなったときに、アレスタアークホーン２８と課電側ホーン３３との気中ギャップ間の電圧が上昇し、アレスタアークホーン２８、課電側ホーン３３間で放電が発生し、避雷器２７に雷サージ電流が流れる。
【００１８】
避雷器２７には、酸化亜鉛素子が設けられているため、印加電圧が高いときには抵抗値が減少して大電流が流れるが、印加電圧が低くなると、絶縁物と同様な高抵抗を示してそれ以上の電圧上昇を抑制する。従って、雷サージ電流を地中に逃がした後は、酸化亜鉛素子によりアレスタアークホーン２８、課電側ホーン３３間の放電は発生しなくなり、続流が消滅して地絡事故を回避することができる。
【００１９】
図２は、動作表示装置３０の一例を示す側面図である。
避雷器２７（図１参照）の動作表示装置３０は、筒部材３５と、筒部材３５の上端部に取付けられた複数の支持部材３６と、一対の支持部材３６，３６に一端部３７ａがそれぞれ揺動可能に取付けられた複数の表示板３７と、各表示板３７が揺動しないように拘束しておく線材３８とを備える。複数の表示板３７により、表示機能部３９が構成される。筒部材３５は、複数の表示板３７の揺動範囲規制の機能を有する天板４１を備える。
【００２０】
表示板３７は、一対の支持部材３６，３６に挟まれるように配置された一端部３７ａが、支持部材３６より下方に配置された部分に対して幅が狭く形成されている。表示板３７の他端部の外面には凸部３７ｂが一体に形成され、この凸部３７ｂに線材３８を通す挿通穴３７ｃが開けられている。各表示板３７は、その内面に鏡部４２を備える。
線材３８は、隣り合う一対の表示板３７，３７の間から筒部材３５に設けられた貫通穴を通じて筒部材３５内に延びている。線材３８は、材質として樹脂又は金属が好適であり、繊維状の樹脂又は繊維状の金属が編まれて、屈曲性の有る紐状に形成されている。
【００２１】
動作表示装置３０では、落雷により避雷器２７（図１参照）に雷サージ電流が流れたときに、この雷サージ電流を基にして、線材３８による複数の表示板３７の拘束が解かれ、図示せぬ板ばねにより付勢された複数の表示板３７が上方に開く。これにより、避雷器２７に雷サージ電流の流れたことが地上から確認可能になる。
【００２２】
図３は、動作表示装置３０を示す平面図である。
筒部材３５は、断面八角形状の筒であり、８つの各側壁３５ａにそれぞれ支持部材３６，３６及び表示板３７が配置されている。側壁３５ａには、外面に凹部３５ｂが形成され、この凹部３５ｂ内に板ばね４３が折り曲げられた状態で収納され、この板ばね４３で表示板３７が開く方向に付勢されている。なお、符号３５ｃは、筒部材３５の一つの角部に開けられた貫通穴であり、この貫通穴３５ｃに線材３８が通されている。
表示板３７は、支持部材３６，３６に支軸４４，４４を介して揺動可能に支持されている。天板４１は、筒部材３５の八角形断面の外形に合致するように外形が八角形に形成され、８つの辺４１ａからストッパ部４１ｂが一体に突出形成され、ストッパ部４１ｂにより表示板３７の上方への揺動範囲が規制される。
【００２３】
図４は、表示板の拘束構造の一例を示す斜視図である。
筒部材３５内には、筒部材３５側に固定された電動モーター５１と、電動モーター５１の回転軸５１ａの先端部に取付けられた円板５２と、回転軸５１ａが貫通するとともに筒部材３５に取付けられた支持板５３と、線材３８の一端を繋ぐために筒部材３５の側壁３５ａに取付けられたピン５４と、線材３８の他端を係止するために支持板５３の上面に取付けられたＬ字形状のフック５６とを備える。
線材３８は、他端部をフック５６に掛けるためのループ部３８ａを備える。円板５２は、線材３８が通されるスリット５２ａと、後で詳述するスイッチをオン／オフする外周凹部５２ｂとを備える。支持板５３は、回転軸５１ａの外径より大きい内径を有する貫通穴５３ａが形成され、この貫通穴５３ａに回転軸５１ａが貫通している。
円板５２は、電動モーター５１の動作に伴って回転軸５１ａを中心として符号Ａで示す方向に回転する。円板５２の回転に伴い、スリット５２ａが符号Ａ方向に移動すると、スリット５２ａを通る線材３８のループ部３８ａが、フック５６から外れる方向に引っ張られ、ついにはフック５６から離脱する。つまり、電動モーター５１が動いて円板５２が回転すると、線材３８の固定が解かれる構成となっている。
【００２４】
図５は、表示機能部作動装置６０の一例を示す構成図である。
表示機能部作動装置６０は、落雷時に避雷器２７（図１参照）に雷サージ電流が流れた場合に、この雷サージ電流を基にして、モーターを作動させる検出電圧を発生させる電圧発生部６１を備える。表示機能部作動装置６０は、さらに、電圧発生部６１で発生した検出電圧により電動モーター５１を作動させるモーター作動部６２を備える。
電圧発生部６１は、取付金具２６に近接配置されたロゴスキーコイル６４を備える。ロゴスキーコイル６４には、避雷器２７から取付金具２６に雷サージ電流が流れた場合に、取付金具２６の周囲の磁界が変化することによって誘導電流が流れる。また、電圧発生部６１は、ロゴスキーコイル６４に発生した誘導電流を整流する整流回路６５と、整流回路６５から出力される電流を電圧に変換する積分回路６６と、積分回路６６から出力される電圧を分圧する分圧回路６７とを備える。上記の整流回路６５、積分回路６６及び分圧回路６７は、電力調整部６８を構成している。整流回路６５により、ロゴスキーコイル６４に発生した誘導電流が直流に整流されて積分回路６６に入力される。積分回路６６は入力電流を積分することにより電圧に変換する。積分回路６６の出力電圧は、分圧回路６７によって予め設定された分圧比で分圧され、分圧された電圧がモーター作動部に入力される。
【００２５】
モーター作動部６２は、ＦＥＴ７１、スイッチ７２、電池７３、及び電動モーター５１を備える。ＦＥＴ７１のゲート（Ｇ）には、分圧回路６７の出力電圧が入力される。ＦＥＴ７１のソース（Ｓ）−ドレイン（Ｄ）間には電動モーター５１と電池７３とが直列に接続されている。さらに、ＦＥＴ７１のソース（Ｓ）−ドレイン（Ｄ）間に並列にスイッチ７２が接続され、ＦＥＴ７１のソース（Ｓ）、スイッチ７２の固定端子７２ａ及び電池７３の負極は接地されている。ＦＥＴ７１のドレイン（Ｄ）は、スイッチ７２の可動端子７２ｂ及び電動モーター５１に接続されている。
【００２６】
以上に述べた動作表示装置３０の作用を次に説明する。
図１及び図５において、落雷時に避雷器２７に雷サージ電流が流れたときには、雷サージ電流の少なくとも一部が取付金具２６に流れることで、取付金具２６の周囲の磁界が変化し、電磁誘導によりロゴスキーコイル６４に誘導電流が発生する。この誘導電流は、整流回路６５によって整流され、積分回路６６で積分され、更に、分圧回路６７で分圧されてＦＥＴ７１に供給される。ここで、分圧回路６７の分圧比は、ＦＥＴ７１に出力する電圧がＦＥＴ７１のゲート閾値電圧より高く、かつＦＥＴ７１の耐電圧範囲（定格電圧範囲）内となるように設定されている。
【００２７】
ＦＥＴ７１では、ゲート（Ｇ）−ソース（Ｓ）間の端子間電圧がゲート閾値電圧より小さい状態では、ドレイン（Ｄ）−ソース（Ｓ）間にドレイン電流はほとんど流れない。一方、ゲート（Ｇ）−ソース（Ｓ）間の電圧がゲート閾値電圧以上の状態では、ドレイン（Ｄ）−ソース（Ｓ）間にドレイン電流が流れる。このように、ＦＥＴ７１は、ゲート（Ｇ）−ソース（Ｓ）間の電圧すなわち分圧回路６７の出力電圧に応じて、ドレイン電流をオン／オフするスイッチとして機能する。
落雷により雷サージ電流が流れた場合、ゲート（Ｇ）−ソース（Ｓ）の端子間電圧はゲート閾値電圧より高くなり、ＦＥＴ７１は「オン」になる。これにより、電動モーター５１には電池７３が供給する電流が流れ、電動モーター５１が作動する。
その後、落雷から時間が経つと、分圧回路６７の出力電圧が低下して、ゲート（Ｇ）−ソース（Ｓ）間の端子間電圧がゲート閾値電圧を下回る。これにより、ＦＥＴ７１は「オフ」に切り替わる。言い換えれば、ＦＥＴ７１は、落雷から一定の時間のみ「オン」になるスイッチである。ＦＥＴ７１が「オン」になる時間は積分回路６６及び分圧回路６７の回路構成と、ＦＥＴ７１のゲート閾値電圧とにより決定される。
【００２８】
図６は、円板５２及びスイッチ７２の構造及び作用の一例を示す作用図である。図６（Ａ）はオフ状態のスイッチ７２を示す図、図６（Ｂ）はオン状態のスイッチ７２を示す図である。
図６（Ａ）に示すように、スイッチ７２の一方の端子である可動端子７２ｂは、棒状の端子本体７２ｃに揺動軸７２ｄを設け、さらに端子本体７２ｃに一体的にアーム部７２ｅを備えた構成となっている。端子本体７２ｃ及びアーム部７２ｅは揺動軸７２ｄを中心として揺動可能に取り付けられている。また、アーム部７２ｅの先端部７２ｆは円板５２側に突出している。アーム部７２ｅは付勢部材（図示略）によって円板５２側に付勢されている。
揺動軸７２ｄ及び端子本体７２ｃは導体により構成され、揺動軸７２ｄは図５に示すＦＥＴ７１のドレイン（Ｄ）及び電動モーター５１に電気的に接続されている。一方、スイッチ７２の他方の端子である固定端子７２ａは、固定的に設けられている。
【００２９】
スイッチ７２の端子本体７２ｃ及びアーム部７２ｅは、初期状態においては図６（Ａ）に示すように、端子本体７２ｃと固定端子７２ａとが離隔している。端子本体７２ｃ及びアーム部７２ｅが揺動軸７２ｄを中心として、円板５２から離れる方に、すなわち付勢力に抗して揺動すると、図６（Ｂ）に示すように端子本体７２ｃが固定端子７２ａに接して導通する。このとき、スイッチ７２が「オン」になる。
【００３０】
円板５２は電動モーター５１の回転軸５１ａに固定され、電動モーター５１の動作に伴って回転する。円板５２の外周縁には外周凹部５２ｂが形成されている。アーム部７２ｅの先端部７２ｆは、外周凹部５２ｂに重なる位置にある場合、図６（Ａ）に示すように、付勢部材の付勢力により先端部７２ｆ内に入り込む。この状態では上記のように固定端子７２ａと端子本体７２ｃとが離隔していて、スイッチ７２は「オフ」である。
電動モーター５１が作動すると、図６（Ｂ）において、円板５２が矢印Ａで示すように回転する。この結果、外周凹部５２ｂが円周方向に移動するため、アーム部７２ｅの先端部７２ｆは外周凹部５２ｂから外れる。このとき、アーム部７２ｅは矢印Ｂで示すように揺動し、端子本体７２ｃは、アーム部７２ｅと一体的に揺動して固定端子７２ａに接続し、スイッチ７２は「オン」になる。
またこのときに、図４に示したように、円板５２のスリット５２ａに通された線材３８に、その線材３８とは略直交する方向の外力が作用するため、線材３８のループ部ａは、その外力によりフック５６から外れる。
【００３１】
図６（Ｂ）に戻って、スイッチ７２が「オン」になれば、図５に示したように、電池７３から電動モーター５１に電力が供給され、電動モーター５１が作動し、円板５２が矢印Ａの向きに更に回転する。そして、円板５２の外周凹部５２ｂに再びスイッチ７２のアーム部７２ｅの先端部７２ｆが入り込むときに、アーム部７２ｅは矢印Ｂとは反対側に揺動し、端子本体７２ｃは固定端子７２ａから離れ、スイッチ７２は「オフ」になる。この結果、電動モーター５１は停止する。
【００３２】
このように、落雷時に避雷器２７の取付金具２６に雷サージ電流が流れることで、ロゴスキーコイル６４に誘導電流が発生し、分圧回路６７から出力される検出電圧の電圧値が立ち上がる。この検出電圧が立ち上がってＦＥＴ７１のゲート閾値電圧に達すると、ＦＥＴ７１がオンになって電池７３から電動モーター５１に電力が供給され、電動モーター５１が回転する。
その後、ロゴスキーコイル６４の誘起電流が消失して分圧回路６７の出力電圧が低下し、ゲート閾値電圧を下回ると、ＦＥＴ７１がオフに切り替わる。ここで、ＦＥＴ７１がオフになるので電動モーター５１への電力供給が停止するが、この時点までにスイッチ７２がオンになっていれば、スイッチ７２、電池７３及び電動モーター５１を含む回路により、電動モーター５１に電力が供給される。
すなわち、ＦＥＴ７１がオンになっている間に、電動モーター５１が、少なくとも、アーム部７２ｅ（図６（Ｂ））の先端部７２ｆが外周凹部５２ｂから離脱してスイッチ７２がオンになるまで回転すると、スイッチ７２がオンになる。その後は、ＦＥＴ７１がオフになってもスイッチ７２がオンであれば、電動モーター５１は動作する。
そして、電動モーター５１の回転により再び先端部７１ｆが外周凹部５２ｂに入り込むと、スイッチ７２がオフに切り替わって電動モーター５１への電力供給が止まる。
【００３３】
従って、避雷器２７の取付金具２６に雷サージ電流が流れると、電動モーター５１が動いて表示機能部３９を後述するように表示状態にする。
また、ＦＥＴ７１がオンになってから、アーム部７２ｅ（図６（Ｂ））の先端部７２ｆが外周凹部５２ｂから離脱する前にＦＥＴ７１がオフになってしまった場合は、電動モーター５１は停止する。この場合、電動モーター５１の回転量は僅かであり、後述する表示機能部３９の変化（動作）は起きない。つまり、取付金具２６に流れる雷サージ電流が弱いか、或いは、雷サージ電流が流れる時間が短い場合には、表示機能部３９が表示状態にならない。従って、動作表示装置３０は、避雷器２７の作動による損傷等が心配されない程度の落雷があっても表示状態にならず、避雷器２７の損傷等が懸念される大きな落雷に対しては確実に表示状態になるという特性を有する。この特性は、検出の確実性と、小さい雷サージ電流に対する不要な動作を回避できるという点で、有用である。
【００３４】
次に、表示機能部３９の作用を説明する。
図７は、表示機能部３９の作用の一例を示す作用図である。
図４において、線材３８のループ部ａがフック５６から外れると、図１及び図２に示したような、線材３８による複数の表示板３７の拘束が解除される。この結果、図７に示したように、複数の表示板３７は、折り曲げられて収納されていた各板ばね４３の付勢力により、矢印で示すように、上方に揺動して開き、ほぼ水平となる。各表示板３７の開位置は、筒部材３５の天板４１に設けられたストッパ部４１ｂにより規制される。
このように複数の表示板３７が開くことで、各表示板３７の鏡部４２が下方を向き、図１に示した動作表示装置３０の下方に配置された避雷器２７の上面側の像を地上に向けて映すことができる。
【００３５】
＜第２実施形態＞
図８は、動作表示装置を構成する第２実施形態の円板８１及びスイッチ７２の構造及び作用の一例を示す作用図である。図８（Ａ）はオフ状態のスイッチ７２を示す図、図８（Ｂ）はオン状態のスイッチ７２を示す図である。図６に示した第１実施形態と同一構成については同一符号を付け、詳細説明は省略する。
図８（Ａ）に示すように、円板８１は、外周部に複数の外周凹部８１ａが形成され、１つの外周凹部８１ａにアーム部７２ｅの先端部７２ｆが図示せぬ付勢部材により押し付けられている。
【００３６】
図８（Ｂ）において、円板８１が矢印Ｃで示すように回転すると、外周凹部８１ａが円周方向に移動するため、アーム部７２ｅの先端部７２ｆは外周凹部８１ａから外れる。このとき、アーム部７２ｅが矢印Ｄで示すように揺動し、端子本体７２ｃが、アーム部７２ｅと一体的に揺動して固定端子７２ａに接続され、スイッチ７２はオンになる。
スイッチ７２がオンになれば、電動モーター５１が作動し、円板８１が回転する。
そして、上記外周凹部８１ａの隣の外周凹部８１ａに再びスイッチ７２のアーム部７２ｅの先端部７２ｆが入り込むことで、アーム部７２ｅは矢印Ｄとは反対側に揺動し、端子本体７２ｃは固定端子７２ａから離れ、スイッチ７２はオフになる。この結果、電動モーター５１は停止する。
このように、円板８１に複数の外周凹部８１ａを設けることで、雷撃数をカウントすることができ、例えば、地域による雷撃の頻度を調査することができる。また、スイッチ７２がオンからオフに至るまでの円板８１の回転角度をより小さくすることができ、電動モーター５１（図５参照）の電力消費を抑えることができる。
【００３７】
以上の図１、図２、図５及び図６に示したように、動作表示装置３０は、落雷時に避雷器２７に流れる雷サージ電流を基に検出電圧を発生する電圧発生部６１と、電圧発生部６１で発生した検出電圧に基づいて、アクチュエータとしての電動モーター５１に電源部としての電池７３から電力を供給させて電動モーター５１を作動させ、検出電圧の出力停止（電圧低下）後も継続して、電池７３から電動モーター５１に電力を供給させるアクチュエータ作動部としてのモーター作動部６２と、電動モーター５１の作動によって表示状態となる表示機能部３９とを備える。
【００３８】
この構成によれば、落雷により避雷器２７が動作したことを低コストで簡単な構成により表示できる。また、落雷時に避雷器２７に流れる電流を基に検出電圧が発生した場合に電動モーター５１を作動させ、その後、検出電圧の出力停止後も電動モーター５１を作動させるので、落雷時に電流が流れる時間よりも長い時間、電動モーター５１を動作させる。このため、表示機能部３９の設計自由度を増すことができ、表示機能部３９の設置場所に適した構造とすることができる。例えば、架空送電線２３の近傍に設置しても絶縁破壊を招かない構造の表示機能部３９や、避雷器２７が動作したことを目視で容易に確認できる構造の表示機能部３９を採用できる。
【００３９】
また、図７に示したように、表示機能部３９は、表示板３７が開くことで表示状態となるので、鉄塔下からの表示板３７の視認性を向上させることができ、避雷器２７が作動したことを容易に確認することができる。
また、図１及び図７に示したように、表示板３７は、避雷器２７の像を地上に映すための鏡部４２を有するので、鏡部４２によって避雷器２７の作動した後の状況を地上から詳細に確認することができる。
【００４０】
以上のことから、（１）各表示板３７が開いたことにより避雷器２７に雷サージ電流が流れたこと、及び（２）雷サージ電流が流れたことにより避雷器２７の下面側に加えて上面側に損傷があるかどうか、損傷が有る場合にはその損傷の程度、の確認を地上から行うことができる。このような確認が行えるので、鉄塔に登って上記（１）及び（２）の確認を行う必要がなくなり、保守作業の簡素化を図ることができる。
また、表示板３７が開く構造にすることで、従来のような表示布を垂らす構造に比べて、本実施形態では、絶縁破壊の発生を防止することができる。更に、従来のように、雷サージ電流により発火させる構造にした場合に火薬等を交換する必要があるのに比べて、本実施形態では、一度開いた表示板３７を閉じて何度も使用することができ、交換部品が不要なので、コストを抑えることができる。
【００４１】
また、図４及び図５に示したように、モーター作動部６２は、電圧発生部６１で発生した検出電圧の電圧値によりオンとオフが切り替わる第１スイッチとしてのＦＥＴ７１と、ＦＥＴ７１がオンになり電動モーター５１が作動したときに動作する動作部材としての円板５２と、円板５２の動作に基づいてオンになる第２スイッチとしてのスイッチ７２とを備え、ＦＥＴ７１またはスイッチ７２の少なくともいずれかがオンの間は電動モーター５１に電池７３から電力が供給される。このように複数のスイッチを順次作動させることで、より効果的に電動モーター５１を作動させることができる。また、簡単な構成で電動モーター５１を作動させることができ、コストを抑えることができる。即ち、複数のスイッチ（ＦＥＴ７１及びスイッチ７２）を用いたシンプルかつ低コストで実現可能な構成により、一つの電動モーター５１を継続して作動させることができる。
【００４２】
また、アクチュエータは電動モーター５１であるので、電動モーター５１の回転を利用して表示機能部３９（図２参照）を表示状態にすることができ、電動モーター５１を含む単純な回路を構成することができて、コストを抑えることができる。
また、図２、図４及び図７に示したように、表示機能部３９は、筒部材３５の外周部に一端が揺動可能に支持された複数の表示板３７からなり、複数の表示板３７は、付勢部材としての板ばね４３によって開くように付勢されるとともに、拘束部材としての線材３８によって開かないように筒部材３５の外周部に拘束され、この拘束された状態が維持されるように線材３８が係止部材としてのフック５６によって係止され、電動モーター５１の回転軸５１ａに取付けられた円板５２が、電動モーター５１の回転に伴って回転してフック５６に対する線材３８の係止状態を断つことで複数の表示板３７の拘束を解除するので、表示板３７を機械的に拘束し、機械的に拘束を解除することで、落雷時に発生する磁界の影響を受けない構造にすることができ、信頼性を向上させることができる。
【００４３】
上述した実施形態は、あくまでも本発明の一態様を示すものであり、本発明の主旨を逸脱しない範囲で任意に変形及び応用が可能である。
例えば、上記実施形態において、図４及び図５に示したように、アクチュエータを電動モーター５１としたが、これに限らず、アクチュエータをソレノイドとしても良い。ソレノイドがＦＥＴ７１によりオンになり、ソレノイドに備える作動部材としてのプランジャがスライドし、プランジャのスライドに伴ってスイッチがオン、そしてオフになるようにしても良い。
また、図７に示したように、表示板３７に鏡部４２を設けるようにしたが、これに限らず、表示板に着色した表示面を設け、この着色した表示面を地上に向けるようにしても良い。
【００４４】
また、図４に示したように、円板５２により線材３８の端部をフック５６から外して表示板３７（図２参照）を開くようにしたが、これに限らず、例えば、両端を固定した線材の途中に、所定の外力で離れる一対のコネクタを設け、落雷による雷サージ電流が流れたときに、接続された一対のコネクタを離すようにしても良い。あるいは、両端を固定した線材を切断して表示板３７の拘束を解除しても良い。
また、図５及び図６に示したように、ＦＥＴ７１またはスイッチ７２がオンになることで電池７３の電力で電動モーター５１を作動させるようにしたが、これに限らず、例えば、落雷によりロゴスキーコイル６４に発生する電力によって充電される二次電池やキャパシタを備え、これらの二次電池やキャパシタの電力によりスイッチ７２がオンになったときに電動モーター５１を作動させるようにしても良い。
【符号の説明】
【００４５】
２７  避雷器
３０  動作表示装置
３５  筒部材
３７  表示板
３８  線材（拘束部材）
３９  表示機能部
４２  鏡部
４３  板ばね（付勢部材）
５１  電動モーター（アクチュエータ）
５１ａ  回転軸
５２，８１  円板（動作部材）
５６  フック（係止部材）
６１  電圧発生部
６２  モーター作動部（アクチュエータ作動部）
７１  ＦＥＴ（第１スイッチ）
７２  スイッチ（第２スイッチ）
７３  電池（電源部）
【図１】
2015107047.tif 000003
【図２】
2015107047.tif 000004
【図３】
2015107047.tif 000005
【図４】
2015107047.tif 000006
【図５】
2015107047.tif 000007
【図６】
2015107047.tif 000008
【図７】
2015107047.tif 000009
【図８】
2015107047.tif 000010